(57)【要約】【課題】  可及的に簡単な構造によって内外双方向に門扉本体を開閉できるようにする。【解決手段】  門柱１ａの内側面からＬ字アーム４３を門柱１ａの中央位置に突出配置し、このＬ字アーム４３に開閉ヒンジ４の支軸４７を配置する一方、門扉本体２の縦框２１の上下端に面一に軸受４８を突出配置することによって該開閉ヒンジ４をピボットヒンジ形式として、Ｌ字アーム４３との干渉がなく門扉本体２を内外双方に１００度程度開閉できるようにする。門扉本体２の戸先間には個別突没自在のラッチボルト６３と、ハンドル３に連動してラッチボルト６３を同時没入するプッシュプレート６６を配置する。ハンドル３操作で開閉が可能となり、門扉本体２を閉鎖方向に押せば自動的な施錠が可能となる。【選択図】  図１
2010265698.tif 000002
【特許請求の範囲】
【請求項１】
門柱の内側面に配置した上下のベース金具と、該上下のベース金具から門柱の内外中間位置に向けて屈曲突出した平面Ｌ字状にして屈曲側の先端に起立した支軸又は軸受によるヒンジ一方の金具を有する上下のＬ字アームと、門扉本体の吊元側に配置した軸受又は支軸による上下のヒンジ他方の金具を備え、上記ヒンジ一方の金具とヒンジ他方の金具による上下の開閉ヒンジによって門扉本体を内外双方向に向けて押開き開閉自在に支持してなることを特徴とする内外双方向開閉自在の門扉。
【請求項２】
上記上下のＬ字アームの突出配置間隔を、門扉本体の高さに対してやや大きい略同等とし且つ上記上下のヒンジ他方の金具の配置を、該ヒンジ他方の金具の上下端を門扉本体の吊元側の上下端と面一又は略面一とし、該ヒンジ一方の金具及びヒンジ他方の金具をピボットヒンジ形式に配置し、上記上下のＬ字アームの間に内外双方に門扉本体の煽り状の回動スペースを確保することによって、門扉本体の回動開閉角度をその閉鎖状態から内外にそれぞれ９０度を上回る角度としてなることを特徴とする請求項１に記載の内外双方向開閉自在の門扉。
【請求項３】
上記上下のベース金具を、上下のＬ字アームの突出幅を調整自在の調整金具としてなることを特徴とする請求項１又は２に記載の内外双方向開閉自在の門扉。
【請求項４】
上記内外双方に開閉自在とした門扉本体を、一対の門柱間に２枚直列に配置した両開き門扉としてなることを特徴とする請求項１、２又は３に記載の内外双方向開閉自在の門扉。
【請求項５】
上記両開き門扉の門扉本体戸先間に施錠装置を配置するとともに該施錠装置を、門扉本体の閉鎖によって戸先同士を自動保持自在とし且つ一方の門扉本体のハンドル操作によって上記施錠保持を自動解除自在とした双方向開閉用としてなることを特徴とする請求項４に記載の内外双方向開閉自在の門扉。
【請求項６】
上記施錠装置を、一方の門扉本体の戸先に配置した、個別突没自在として突出時に他方の門扉本体の戸先を挟持する内外一対のキャッチャーと、他方の門扉本体の戸先に配置した、上記内外一対のキャッチャーを同時没入することによってその戸先の挟持を解除自在としたハンドル操作連動の内外一対のプッシャーとを備えてなることを特徴とする請求項５に記載の内外双方向開閉自在の門扉。
【請求項７】
上記内外双方に開閉自在とした門扉本体を、一対の門柱間に１枚配置した片開き門扉としてなることを特徴とする請求項１、２又は３に記載の内外双方向開閉自在の門扉。
【請求項８】
上記片開き門扉の門扉本体と門柱間に施錠装置を配置するとともに該施錠装置を、門扉本体の閉鎖によって戸先を戸先側の門柱に自動保持自在とし且つ門扉本体のハンドル操作によって上記施錠保持を自動解除自在とした双方向開閉用としてなることを特徴とする請求項７に記載の内外双方向開閉自在の門扉。
【請求項９】
上記施錠装置を、戸先側の門柱に配置した、個別突没自在として突出時に門扉本体の戸先を挟持する内外一対のキャッチャーと、門扉本体の戸先に配置した、上記内外一対のキャッチャーを同時没入することによってその戸先の挟持を解除自在としたハンドル操作連動の内外一対のプッシャーとを備えてなることを特徴とする請求項８に記載の内外双方向開閉自在の門扉。
【発明の詳細な説明】
【技術分野】
【０００１】
本発明は、敷地側とその外側の通路側の双方に向けて押開きによって内外双方向に開閉自在とした内外双方向開閉自在の門扉に関する。
【背景技術】
【０００２】
この種の押開きによって内外双方向に開閉自在とした門扉として、本発明者による下記特許文献記載のものが知られている。これによれば、門柱の内側面に配置した上下のベース金具と、該上下のベース金具から直線状に突出した直線アームと、門扉本体の吊元側に配置した軸受又は支軸による上下のヒンジ他方の金具を備え、上記ヒンジ一方の金具とヒンジ他方の金具による上下の開閉ヒンジによって門扉本体を内外双方向に向けて押開き開閉自在に支持したものとされ、このとき上記門柱は、その内側面を幅広に、外側面を幅狭の台形状に形成して、内外面間に傾斜スペースを配置し、該傾斜スペースによって、門扉本体の回動開閉角度をその閉鎖状態から内外にそれぞれ９０度を上回る、例えば１００±５度の角度としたものとされている。
【先行技術文献】
【特許文献】
【０００３】
【特許文献１】特開２００９−５２３２３号公報
【発明の概要】
【発明が解決しようとする課題】
【０００４】
この場合、出入に際して門扉本体を押開きすることが可能となるから、例えば、門扉本体を敷地の内側に開閉する、従来の内開き門扉のように、門扉本体の戸先乃至上框を手前に引くようにして内側に引き開きして通路に出るといった動作を必要とせず、内外いずれからも門扉本体を押圧することによって出入が可能となり、従って、例えば、車椅子使用者や車椅子を押して出入する介助者が通路に出るとき、門扉本体の開錠操作、門扉本体の回動範囲からの移動、門扉本体の引寄せ閉鎖、再施錠操作といった煩雑な動作を必要とすることなく、門扉の出入を容易に行なうことができ、車椅子使用者、介助者、身体障害者、高齢者等にとって使い勝手を良好とした門扉とすることができるというメリットがある。
【０００５】
しかし乍ら、この場合、門扉本体の回動開閉角度を確保するために、門柱を台形状として、傾斜スペースを、門柱と門扉本体の衝接を防止する緩衝部位とすることによって、門柱を特殊断面形状とする必要があり、一般に使用される断面四角形の門柱を使用できず、特殊断面形状による成形の煩雑化、搬送スペースの拡大、現場工事の煩雑化、コストアップといった問題点を招く可能性が残されている。
【０００６】
本発明はかかる事情に鑑みてなされたものであって、その解決課題とするところは、上記のようなメリットを有することによって使い勝手を良好とする一方、特殊断面形状の門柱を用いることなく、可及的簡易な構造によって確実に内外双方に押開き開閉をなし得るようにした内外双方向開閉自在の門扉を提供するにある。
【課題を解決するための手段】
【０００７】
上記課題に沿って本発明は、門柱の敷地側背面をなす内側面に上下のベース金具を配置することによって吊元側が通路側に露出するのを防止し、該ベース金具からＬ字アームを屈曲突出することによって、その屈曲側先端に起立したヒンジ一方の金具を、門柱の内外中間位置に配置し、該ヒンジ一方の金具に、門扉本体吊元側に配置したヒンジ他方の金具を組み合せて形成したヒンジによって、上記該内外中間位置において門扉本体を支持するようにして、その押開き開閉の内外双方向に向けた開閉を可能としたものであって、即ち、請求項１に記載の発明を、門柱の内側面に配置した上下のベース金具と、該上下のベース金具から門柱の内外中間位置に向けて屈曲突出した平面Ｌ字状にして屈曲側の先端に起立した支軸又は軸受によるヒンジ一方の金具を有する上下のＬ字アームと、門扉本体の吊元側に配置した軸受又は支軸による上下のヒンジ他方の金具を備え、上記ヒンジ一方の金具とヒンジ他方の金具による上下の開閉ヒンジによって門扉本体を内外双方向に向けて押開き開閉自在に支持してなることを特徴とする内外双方向開閉自在の門扉としたものである。
【０００８】
請求項２に記載の発明は、上記に加えて、押開き開閉の角度の拡大を、上記特許文献の如くに傾斜スペースによることなく、上記開閉ヒンジをピボットヒンジ形式のものとして、そのＬ字アームと門扉本体の干渉を回避して、上下のＬ字アームの間に内外双方に門扉本体の煽り状の回動スペースを確保し、該Ｌ字アーム間においても門扉本体の回動開閉を可能として、車椅子の出入を含めて広い開口を得られて使い勝手の更に良好なものとするとともに該開閉ヒンジをピボットヒンジ形式とすることによって、屋外設置を常態とする門扉本体の持上げによる取外しを不能とし、該門扉本体の盗難を防止し得るものとするように、これを、上記上下のＬ字アームの突出配置間隔を、門扉本体の高さに対してやや大きい略同等とし且つ上記上下のヒンジ他方の金具の配置を、該ヒンジ他方の金具の上下端を門扉本体の吊元側の上下端と面一又は略面一とし、該ヒンジ一方の金具及びヒンジ他方の金具をピボットヒンジ形式に配置し、上記上下のＬ字アームの間に内外双方に門扉本体の煽り状の回動スペースを確保することによって、門扉本体の回動開閉角度をその閉鎖状態から内外にそれぞれ９０度を上回る角度としてなることを特徴とする請求項１に記載の内外双方向開閉自在の門扉としたものである。
【０００９】
請求項３に記載の発明は、同じく上記に加えて、門扉本体の位置及び角度を調整可能として、門柱に対する門扉本体の納まりを良好なものとするように、これを、上記上下のベース金具を、上下のＬ字アームの突出幅を調整自在の調整金具としてなることを特徴とする請求項１又は２に記載の内外双方向開閉自在の門扉としたものである。
【００１０】
請求項４に記載の発明は、同じく上記に加えて、両開き門扉として門扉本体２枚用の開口に適合したものとするように、これを、上記内外双方に開閉自在とした門扉本体を、一対の門柱間に２枚直列に配置した両開き門扉としてなることを特徴とする請求項１、２又は３に記載の内外双方向開閉自在の門扉としたものである。
【００１１】
請求項５に記載の発明は、同じく上記に加えて、両開き門扉を施錠可能とする一方、該施錠を、門扉本体の閉鎖によって自動的に施錠可能とし且つハンドル操作によって自動的に施錠解除可能として使い勝手の良好なものとするように、これを、上記両開き門扉の門扉本体戸先間に施錠装置を配置するとともに該施錠装置を、門扉本体の閉鎖によって戸先同士を自動保持自在とし且つ一方の門扉本体のハンドル操作によって上記施錠保持を自動解除自在とした双方向開閉用としてなることを特徴とする請求項４に記載の内外双方向開閉自在の門扉としたものである。
【００１２】
請求項６に記載の発明は、同じく上記に加えて、両開き門扉の施錠装置を上記自動的な施錠と施錠解除を行なうに適した形態のものとするように、これを、上記施錠装置を、一方の門扉本体の戸先に配置した、個別突没自在として突出時に他方の門扉本体の戸先を挟持する内外一対のキャッチャーと、他方の門扉本体の戸先に配置した、上記内外一対のキャッチャーを同時没入することによってその戸先の挟持を解除自在としたハンドル操作連動の内外一対のプッシャーとを具えてなることを特徴とする請求項５に記載の内外双方向開閉自在の門扉としたものである。
【００１３】
請求項７に記載の発明は、同じく上記に加えて、片開き門扉として門扉本体１枚用の開口に適合したものとするように、これを、上記内外双方に開閉自在とした門扉本体を、一対の門柱間に１枚配置した片開き門扉としてなることを特徴とする請求項１、２又は３に記載の内外双方向開閉自在の門扉としたものである。
【００１４】
請求項８に記載の発明は、同じく上記に加えて、片開き門扉を施錠可能とする一方、該施錠を、門扉本体の閉鎖によって自動的に施錠可能とし且つハンドル操作によって自動的に施錠解除可能として使い勝手の良好なものとするように、これを、上記片開き門扉の門扉本体と門柱間に施錠装置を配置するとともに該施錠装置を、門扉本体の閉鎖によって戸先を戸先側の門柱に自動保持自在とし且つ門扉本体のハンドル操作によって上記施錠保持を自動解除自在とした双方向開閉用としてなることを特徴とする請求項７に記載の内外双方向開閉自在の門扉としたものである。
【００１５】
請求項９に記載の発明は、同じく上記に加えて、片開き門扉の施錠装置を上記自動的な施錠と施錠解除を行なうに適した形態のものとするように、これを、上記施錠装置を、戸先側の門柱に配置した、個別突没自在として突出時に門扉本体の戸先を挟持する内外一対のキャッチャーと、門扉本体の戸先に配置した、上記内外一対のキャッチャーを同時没入することによってその戸先の挟持を解除自在としたハンドル操作連動の内外一対のプッシャーとを備えてなることを特徴とする請求項８に記載の内外双方向開閉自在の門扉としたものである。
【００１６】
本発明はこれらをそれぞれ発明の要旨として上記課題解決の手段としたものである。
【発明の効果】
【００１７】
本発明は以上のとおりに構成したから、請求項１に記載の発明は、門柱の敷地側背面をなす内側面に上下のベース金具を配置することによって吊元側が通路側に露出するのを防止し、該ベース金具からＬ字アームを屈曲突出することによって、その屈曲側先端に起立したヒンジ一方の金具を、門柱の内外中間位置に配置し、該ヒンジ一方の金具に、門扉本体吊元側に配置したヒンジ他方の金具を組み合せて形成したヒンジによって、上記該内外中間位置において門扉本体を支持するようにして、その押開き開閉の内外双方向に向けた開閉を可能として、例えば、車椅子使用者や車椅子を押して出入する介助者が通路に出るとき、門扉本体の開錠操作、門扉本体の回動範囲からの脱出、門扉本体の引寄せ閉鎖、再施錠操作といった煩雑な動作を必要とせずに門扉の出入を容易に行なうことができ、車椅子使用者、介助者、身体障害者、高齢者等にとって使い勝手を良好とする一方、特殊断面形状の門柱を用いることなく、可及的簡易な構造によって確実に内外双方に押開き開閉をなし得るようにした内外双方向開閉自在の門扉を提供することができる。
【００１８】
請求項２に記載の発明は、上記に加えて、押開き開閉の角度の拡大を、上記特許文献の如くに傾斜スペースによることなく、上記開閉ヒンジをピボットヒンジ形式のものとして、そのＬ字アームと門扉本体の干渉を回避して、上下のＬ字アームの間に内外双方に門扉本体の煽り状の回動スペースを確保し、該Ｌ字アーム間においても門扉本体の回動開閉を可能として、車椅子の出入を含めて広い開口を得られて使い勝手を更に良好なものとするとともに該開閉ヒンジをピボットヒンジ形式とすることによって、屋外設置を常態とする門扉本体の持上げによる取外しを不能とし、該門扉本体の盗難を防止し得るものとすることができる。
【００１９】
請求項３に記載の発明は、同じく上記に加えて、門扉本体の位置及び角度を調整可能として、門柱に対する門扉本体の納まりを良好なものとすることができる。
【００２０】
請求項４に記載の発明は、同じく上記に加えて、両開き門扉として門扉本体２枚用の開口に適合したものとすることができる。
【００２１】
請求項５に記載の発明は、同じく上記に加えて、両開き門扉を施錠可能とする一方、該施錠を、門扉本体の閉鎖によって自動的に施錠可能とし且つハンドル操作によって自動的に施錠解除可能として使い勝手の良好なものとすることができる。
【００２２】
請求項６に記載の発明は、同じく上記に加えて、両開き門扉の施錠装置を上記自動的な施錠と施錠解除を行なうに適した形態のものとすることができる。
【００２３】
請求項７に記載の発明は、同じく上記に加えて、片開き門扉として門扉本体１枚用の開口に適合したものとすることができる。
【００２４】
請求項８に記載の発明は、同じく上記に加えて、片開き門扉を施錠可能とする一方、該施錠を、門扉本体の閉鎖によって自動的に施錠可能とし且つハンドル操作によって自動的に施錠解除可能として使い勝手の良好なものとすることができる。
【００２５】
請求項９に記載の発明は、同じく上記に加えて、片開き門扉の施錠装置を上記自動的な施錠と施錠解除を行なうに適した形態のものとすることができる。
【図面の簡単な説明】
【００２６】
【図１】両開き門扉の背面図である。
【図２】両開き門扉の平面図である。
【図３】門柱と門扉本体の関係を示す拡大平面図である。
【図４】門柱と門扉本体の開閉角度を示す拡大図である。
【図５】門柱と門扉本体の拡大背面図である。
【図６】門扉本体戸先間の施錠装置を示す拡大平面図である。
【図７】施錠装置の構造を示す横断面図である。
【図８】施錠装置による開錠状態を示す横断面図である。
【図９】施錠状態の構造を示す背面図である。
【図１０】片開き門扉の背面図である。
【図１１】片開き門扉の平面図である。
【図１２】門柱と門扉本体間の施錠装置を示す拡大平面図である。
【発明を実施するための形態】
【００２７】
以下図面の例に従って本発明を更に具体的に説明すれば、図１乃至図９においてＡは内外双方向開閉自在の門扉であり、該門扉Ａは、門柱１ａの内側面に配置した上下のベース金具４１と、該上下のベース金具４１から門柱１ａの内外中間位置に向けて屈曲突出した平面Ｌ字状にして屈曲側の先端に起立した支軸又は軸受によるヒンジ一方の金具４７を有する上下のＬ字アーム４３と、門扉本体２の吊元側に配置した軸受又は支軸による上下のヒンジ他方の金具４８を備え、上記ヒンジ一方の金具４７とヒンジ他方の金具４８による上下の開閉ヒンジ４によって門扉本体２を内外双方向に向けて押開き開閉自在に支持したものとしてある。
【００２８】
このとき、図１乃至図９に示した本例の門扉Ａは、一対の門柱１ａ間に門扉本体２を２枚直列配置した両開き門扉としてあり、該門扉Ａは、その門柱１ａ、門扉本体２をアルミ押出材を切断し且つ所定の加工を施して形成したアルミ形材門扉としてある。
【００２９】
門柱１ａは、中空の断面四角形、特に方形として、下端を地中に埋込むことによって起立設置し、上端にキャップ１２を被嵌配置して中空部を閉塞したものとしてあり、門扉本体２は、対向する吊元側及び戸先側の縦框２１と上下の横框２２を框組みし、該框組み内に多数の横桟を配置した横格子のものとして、その吊元側の縦框２１を、上記一対の門柱１ａ間にそれぞれ吊支持することによって、該門柱１ａ間に２枚を直列に配置して門扉Ａを形成したものとしてある。
【００３０】
門柱１ａの内側面、即ち敷地側に位置する背面に配置した本例のベース金具４１は、これを、上下のＬ字アーム４３の突出幅を調整自在の調整金具としてあり、本例にあって、該ベース金具４１は、一側の側面にＬ字アーム４３の突出幅調整用のネジを挿通する透孔を、他側の側面にＬ字アームを挿通する透孔を透設し、中空の内部空間の幅方向中間位置にＬ字アーム４３の進行ガイド４２を配置した中空のボックス状のものとしてあり、裏面を門柱１ａの内側面上方及び下方に対接してベース金具４１の上下位置に配置した各一対のネジ透孔からそれぞれネジを門柱１ａに螺入することによって、該門柱１ａの内側面に対して固定してある。このとき上記進行ガイド４２は、例えば、中空の内部空間上下に配置した摺動ガイドをなす隔壁と、該隔壁間にこれを横断するように架設配置したガイドバーとによって形成したものとしてある。
【００３１】
Ｌ字アーム４３は、直線部４４と、該直線部４４に直交するように屈曲配置した屈曲部４５とを備えた、例えば、アルミ、ステンレス等の金属の丸棒のバー材によって持ち送り用として形成し、直線部の長手方向端部に突出幅調整用のネジを受入れる雌ネジを形成するとともに長手方向中間位置の、例えば、該雌ネジ近傍の外周を部分的に平坦化した上下の平坦面と、該平坦面に上下に透設して配置した直線部長手方向に沿う長孔４６を備える一方、屈曲部４５の先端を径大の円形部とし、該円形部に径小円形の嵌合孔を配置し、該嵌合孔に長手方向一端を挿入固定することによって、本例にあってヒンジ一方の金具４７として支軸、即ち円形中実のシャフトによる支軸を起立配置してある。このとき、本例の屈曲部４５の長さは、上記嵌合孔の中心、即ちヒンジ一方の金具４７の支軸の中心を、門柱１ａの内外中間位置、特に内外中心位置に位置するように設定したものとしてある。
【００３２】
一方、門扉本体２の吊元側の縦框２１には、ヒンジ一方の金具４７の支軸と開閉ヒンジ４をなすようにヒンジ他方の金具４８の、本例にあっては軸受を突出配置してあり、本例にあって該軸受は、台座部４９と、該台座部から門柱側に突出した上記支軸の外径に合せてその回動を許容する内径の受孔を有した円筒状の軸受を備え、台座部４９を縦框２１の側面に対接し、これに配置したネジ透孔からネジを縦框に螺入することによって、門扉本体２の吊元側側面に該側面からヒンジ他方の金具４８を突出するようにその固定を行なってある。
【００３３】
このとき、上記上下のＬ字アーム４３の突出配置間隔は、これを、門扉本体２の高さに対してやや大きい略同等とし且つ上記上下のヒンジ他方の金具４８の配置を、該ヒンジ他方の金具４８の上下端を門扉本体２の吊元側の上下端と面一又は略面一とし、該ヒンジ一方の金具４７及びヒンジ他方の金具４８をピボットヒンジ形式に配置し、上記上下のＬ字アーム４３の間に内外双方に門扉本体２の煽り状の回動スペースを確保することによって、門扉本体２の回動開閉角度をその閉鎖状態から内外にそれぞれ９０度を上回る角度としてある。
【００３４】
即ち、ベース金具４１は上記門柱１ａに対して門扉本体２の高さより幾分大きな間隔を置いて固定して該ベース金具４１から突出したＬ字アーム４３が、門扉本体２の高さと略同等となるように該ベース金具４１の固定を行なってあり、このとき該Ｌ字アーム４３は、これを上下で反転配置するように、該Ｌ字アーム４３における屈曲部先端の支軸を、上位のＬ字アーム４３において下向き、下位のＬ字アーム４３において上向きとして、ベース金具４１に対して配置してある。一方、門扉本体２の、本例にあって上記軸受は、これを、その受孔が門扉本体２の上位において上向き、下位において下向きとして、それぞれ上位の軸受の上端を門扉本体２の縦框２１の上端と、下位の軸受の下端を門扉本体２の縦框２１の下端と面一、本例にあっては該縦框２１の上下端に配置したキャップの厚さ分を残した略面一として、該縦框２１に対して配置してある。
【００３５】
従って、Ｌ字アーム４３の支軸を縦框２１の軸受に受入れて形成することによって、本例の開閉ヒンジ４はピボットヒンジ形式のものとなり、これによって該開閉ヒンジ４によって門扉本体２を内外双方向に向けて押開き開閉自在とすることが可能となるとともに、これに止まらず、該門扉本体２の開閉に際して、該門扉本体２は、開閉ヒンジ４におけるＬ字アーム４３の干渉を受けることなく、該Ｌ字アーム４３間に亘る回動開閉が可能となり、本例にあって該門扉本体２は、例えば閉鎖状態から内外にそれぞれ最大１００度程度、内外双方に２００度程度の回動開閉角度を有するものとしてある。
【００３６】
図中６は、該両開き門扉とした本例の門扉Ａにあって、門扉本体２戸先間に配置した施錠装置であり、該施錠装置６は、これを、門扉本体２の閉鎖によって戸先同士を自動保持自在とし且つ一方の門扉本体２のハンドル３操作によって上記施錠保持を自動解除自在とした双方向開閉用のものとしてある。
【００３７】
本例にあって、該施錠装置６は、これを、一方の門扉本体２の戸先に配置した、個別突没自在として突出時に他方の門扉本体２の戸先を挟持する内外一対のキャッチャー６１と、他方の門扉本体２の戸先に配置した、上記内外一対のキャッチャー６１を同時没入することによってその戸先の挟持を解除自在としたハンドル３操作連動の内外一対のプッシャー６４とを備えたものとして、上記門扉本体２の閉鎖による戸先同士の自動保持とハンドル３操作による自動解除を行なうものとしてある。
【００３８】
本例のキャッチャー６１は、内外一対の、例えば個別突没自在としたラッチボルト６３を、その傾斜面を内側及び外側に露出し、垂直面を相互に対向するように、一方の門扉本体２の内外面に配置することによって、該ラッチボルト６３の対向する垂直の対向面を保持部として、他方の門扉本体２の戸先を保持するようにしてあり、本例にあって該キャッチャー６１は、ケース６２に対して突出方向に付勢した単一のラッチボルト６３を装着配置し、該ケース６２を、門扉本体２の戸先側の縦框２１の内外面、即ち、正面及び背面に、該ラッチボルト６３を縦框２１の側面に向けて突出するように、それぞれネジ固定してある。これによって、一方の傾斜面に、閉鎖する他方の門扉本体２戸先の縦框２１が衝接することによって、該一方のラッチボルト６３がその付勢力に抗して没入し、これに対向して配置した他方のラッチボルト６３、特にその垂直の対向面が、該縦框２１を受止めて、門扉本体２を閉鎖定位置に受止めするとともに上記一方のラッチボルト６３が付勢力によって突出復帰することによって、該門扉本体２を保持するようにしてある。
【００３９】
一方、本例のプッシャー６４は、他方の門扉本体２、即ち、ラッチボルト６３を装着した門扉本体２とは別の門扉本体２の戸先側の縦框２１に、上記内外一対のラッチボルト６３を同時押圧するようにハンドル３の操作、本例にあってはレバーハンドルの押下げ操作によってラッチボルト６３側に突出するように、該レバーハンドル３を内外方向に連結した縦框２１内の回転軸３１に回動リンク６７を介して連結したプッシュプレート６６をケース６５に装着配置し、該ケース６５を、上記内外一対のラッチボルト６３と同様に戸先側の縦框２１の内外面、即ち、正面及び背面に、突出時にプッシュプレート６６が内外一対のラッチボルト６３を没入するように固定してある。このとき、本例のプッシュプレート６６は、回転軸３１とケース６５との間にバネ６８を介設して、該プッシュプレート６６を水平配置するように付勢してあり、これによって、該レバーハンドル３の押下げ操作によって突出したプッシュプレート６６を、該レバーハンドル３から手を離すことによる該レバーハンドル３の水平配置への復帰に伴ってケース６５内に自動的に没入復帰するようにしてある。
【００４０】
以上のように構成した本例の両開き門扉とした門扉Ａは、敷地側及び通路側のいずれからも該門扉本体２を押開きしてその出入を行なうことが可能となり、例えば、車椅子利用者、車椅子の介助者、高齢者、障害者等を含めて、門扉Ａの出入が極めて容易になる上、門扉本体２の煽り状の回動スペースを確保して、該門扉本体２の回動開閉角度を９０度を上回る、例えば、内外片側に１００度をなすようにしたことによって、開口を広く得られて、従来の門扉におけるように、門扉本体２が開口内に位置することによって出入障害となることもない。また、開閉ヒンジ４をピボットヒンジ形式としたことによって、門扉本体２を持ち上げても、開閉ヒンジ４を分離できないから、該門扉本体２の持上げによる取外しを不能とし、該門扉本体２の盗難を防止することができる。
【００４１】
更に、施錠装置６はハンドル３操作によって門扉本体２戸先間の施錠保持を同時解除し得るから、レバーハンドル３を押下げるだけで、一方又は双方の門扉本体２を開閉することができる上、出入後には押し開いた門扉本体２を閉鎖方向に押すだけで、キャッチャー６１の内外一方が門扉本体２を受入れ、内外他方が門扉本体２のストッパーとなることによって、門扉本体２を自動的に閉鎖状態とすることができ、例えば敷地側から閉めた門扉本体２が通路側に飛び出して通行人に当ったりすることも有効に防止できる。
【００４２】
図中５は、開閉ヒンジ４の支軸と軸受間に介装したワッシャーを示す。
【００４３】
図１０乃至図１２は、他の例の双方向開閉自在の門扉Ａを示すもので、本例にあって門扉本体２は、これを、一対の門柱１ａ、１ｂ間に１枚配置した片開き門扉としたものとしてあり、このとき該片開き門扉の門扉本体２と門柱１ｂ間に施錠装置６を配置するとともに該施錠装置６を、門扉本体２の閉鎖によって戸先を戸先側の門柱１ｂに自動保持自在とし且つ門扉本体２のハンドル３操作によって上記施錠保持を自動解除自在とした双方向開閉用のものとし、本例にあって該施錠装置６は、これを、戸先側の門柱１ｂに配置した、個別突没自在として突出時に門扉本体２の戸先を挟持する内外一対のキャッチャー６１と、門扉本体２の戸先に配置した、上記内外一対のキャッチャー６１を同時没入することによってその戸先の挟持を解除自在としたハンドル３操作連動の内外一対のプッシャー６４とを備えたものとしてある。
【００４４】
即ち、本例にあって門扉本体２は、これを門柱１ａ、１ｂ間に単一のものとして、その一方の吊元側の門柱１ａに上記と同様に開閉ヒンジ４によって吊支持するとともに他方の戸先側の門柱１ｂに上記と同様な施錠装置６のキャッチャー６１を、門扉本体２の戸先にプッシャー６４をそれぞれ配置することによって、同様に該門扉本体２を内外双方向に向けて押開き開閉自在とし且つレバーハンドル３を押下げることによる門扉本体２の開閉と出入後の自動的な閉鎖をなし得るようにしてある。
【００４５】
このとき門柱１ａは、その吊元側の門柱１ａを上記と同一断面のものとするも、戸先側の門柱１ｂの断面形状を倒Ｔ字状とすることによって、先端に門扉本体２戸先の厚さ（内外幅）と同幅の突出部１１を配置し、該突出部１１の内外面に上記ラッチボルト６３の設置スペースを配置して、該設置スペースにラッチボルト６３のケース６２を同じく固定して、該ラッチボルト６３による門扉本体２の施錠保持を行なうとともに該ケース６２が戸先側の門柱１ｂから内外に突出するのを防止して、キャッチャー６１の設置納まりを可及的良好とするようにしてある。
【００４６】
その余は上記例と変らないので、同一符号を付して重複する説明を省略する。
【００４７】
以上のように構成した本例の片開き門扉とした門扉Ａも、同様に、押開きによる出入を極めて容易になし得るとともに内外方向の煽り状の回動スペースによって、門扉本体２の回動開閉角度を９０度を上回る、例えば１００度程度として広い開口を得られるものとし且つ門扉本体２の盗難を防止し得るものとすることができ、また、レバーハンドル３の押下げによって門扉本体２を開閉でき、また、出入後に押し開いた門扉本体２を押すだけで、同様に門柱１ａ、１ｂ間に門扉本体２を受入れて、その自動的に閉鎖状態とし、同じく、敷地側から閉めた門扉本体２が通路側に飛び出すことも有効に防止できる。
【００４８】
図示した例は以上のとおりとしたが、Ｌ字アームのヒンジ一方の金具を軸受とし、門扉本体のヒンジ他方の金具を支軸として開閉ヒンジを構成し、必要に応じて同様にピボットヒンジ形式のものとすることを含めて、内外双方向開閉自在の門扉、門柱、門扉本体、開閉ヒンジ、そのベース金具、Ｌ字アーム、ヒンジ一方の金具、ヒンジ他方の金具、必要に応じて用いる施錠装置、キャッチャー、プッシャー等の材質、形状、構造、これらの関係、これらに対する付加等は、上記発明の要旨に反しない限り様々な形態のものとすることができる。
【符号の説明】
【００４９】
Ａ  内外双方向開閉自在の門扉
１ａ  吊元側門柱
１ｂ  戸先側門柱
１１  突出部
１２  キャップ
２  門扉本体
２１  縦框
２２  横框
３  ハンドル
３１  回転軸
４  開閉ヒンジ
４１  ベース金具
４２  進行ガイド
４３  Ｌ字アーム
４４  直線部
４５  屈曲部
４６  長孔
４７  支軸
４８  軸受
４９  台座部
５  ワッシャー
６  施錠装置
６１  キャッチャー
６２  ケース
６３  ラッチボルト
６４  プッシャー
６５  ケース
６６  プッシュプレート
６７  回動リンク
６８  バネ
【図１】
2010265698.tif 000003
【図２】
2010265698.tif 000004
【図３】
2010265698.tif 000005
【図４】
2010265698.tif 000006
【図５】
2010265698.tif 000007
【図６】
2010265698.tif 000008
【図７】
2010265698.tif 000009
【図８】
2010265698.tif 000010
【図９】
2010265698.tif 000011
【図１０】
2010265698.tif 000012
【図１１】
2010265698.tif 000013
【図１２】
2010265698.tif 000014